(57)【要約】【課題】  背凭れ部材を着座体に対して直立した着座位置から水平な仰向け位置に回動させる際に、椅子本体に対する背凭れ部材の重心移動を抑制し、着座体及び背凭れ部材を椅子本体にバランス良く支持することを目的とする。【解決手段】  背凭れ部材６に対して後方に荷重を加えると、背凭れ部材６が第一の支軸４を支点として後方に向かって回動し、リンク８ａ、８ｂが、背凭れ部材６によって下方に付勢され、第３の支軸４８を支点として、前方に向けて回動する。リンク８ａ、８ｂが前方に向かって回動すると、リンク８ａ、８ｂの一端に接続された背凭れ部材６が前方に押し出され、着座体ベース部材５の下方の前後に備えられた回転ローラ１０ａ〜１０ｄ、１０ｆがスライドレール９ａ、９ｂに沿って回転し、着座体３が前方にスライドする。【選択図】  図３
2005192745.tif 000002
【特許請求の範囲】
【請求項１】
使用者が着座するための着座体と、
床面に設置され、前記着座体を略水平に支持するための椅子本体と、
前記着座体の左右方向に沿って配設され、該着座体の後端部に連結された第一の支軸と、
下端が前記第一の支軸に対して回動自在に係合し、該第一の支軸を支点として、背凭れ面が略直立した着座位置から背凭れ面が略水平に仰向けとなる仰向け位置までの間で回動可能な背凭れ部材と、
を備えたリクライニング椅子であって、
前記背凭れ部材が着座位置から仰向け位置に向かう回動に伴い、前記椅子本体に対して、前記着座体を前方にスライドさせ、該背凭れ部材の仰向け位置から着座位置に向かう回動に伴い、該椅子本体に対して、該着座体を後方にスライドさせるスライド手段を備えている、
ことを特徴とするリクライニング椅子。
【請求項２】
前記第一の支軸及び前記着座体の後端部は、前記椅子本体の前端部より後方でしかも該椅子本体の後端部より前方側に備えられ、
前記スライド手段は、
前記背凭れ部材の左右方向に沿って配設され、前記椅子本体の後端部と前記第一の支軸との間の上方の空間において、該背凭れ部材の背面に連結された第二の支軸と、
前記椅子本体の左右方向に沿って配設され、該椅子本体の後端部に連結された第三の支軸と、
一端が前記第二の支軸に対して回動自在に係合し、他端が、前記椅子本体の前記後端部に向かって延出し、前記第三の支軸に回動自在に係合したリンクと、
前記椅子本体の上方に、前後方向に沿って設けられたスライドレールと、
前記着座体の下方に、前記スライドレールにスライド自在に設けられたスライド部材と、
を備えている、
ことを特徴とする請求項１に記載のリクライニング椅子。
【請求項３】
前記スライド部材は、
回転軸を介して前記着座体に回転自在に連結され、前記スライドレールに沿って回転する回転ローラである、
ことを特徴とする請求項２に記載のリクライニング椅子。
【請求項４】
前記着座体の下方に突出して設けられた第一のストッパーと、該第一のストッパーより後方側において前記スライドレールの上面に突出して設けられた第二のストッパーとを備え、
前記第一のストッパー及び第二のストッパーは、前記着座体が後方に向かってスライドする際に、前記背凭れ部材の着座位置において突き当たる位置に形成されている、
ことを特徴とする請求項２又は請求項３に記載のリクライニング椅子。
【請求項５】
前記第二のストッパーは前記着座体のスライド方向に移動可能であって、該第二のストッパーをスライド方向の任意の位置で固定するストッパー固定手段を備えている、
ことを特徴とする請求項４に記載のリクライニング椅子。
【請求項６】
前記着座体の下方に向けて延出する延出部材と、
前記着座体の左右方向に沿って配設され、該着座体の前方側の下方に支持されたシリンダ支持軸と、
流体が充填されたシリンダと、該シリンダ内に摺動可能に設けられ、該シリンダ内を二室に画成するピストンと、該ピストンに設けられ、前記シリンダ内の二室を連通する連通路と、基端側が該ピストンに固定され、先端側が前記シリンダ外に突出したピストンロッドとを有するシリンダ装置と、
を備え、
前記ピストンロッドの先端部とは反対側に位置する前記シリンダの外端部が前記延出部材の先端又は前記シリンダ支持軸に接続され、前記ピストンロッドの先端部が前記シリンダ支持軸又は前記延出部材の先端に接続されている、
ことを特徴とする請求項１乃至請求項５の何れか記載のリクライニング椅子。
【請求項７】
前記シリンダ装置は、
前記シリンダに対して前記ピストンの摺動動作を停止する停止手段を備えている、
ことを特徴とする請求項６に記載のリクライニング椅子。
【請求項８】
長形状に形成された左右一対の肘掛部材と、
前記肘掛部材に固定されて下方に突出し、しかも前後方向に所定の間隔を介して一対備えられた第一、第二の棒状部材と、
前記第一、第二の棒状部材をスライド自在に支持する挿通孔を有し、前記椅子本体の左右の側壁に固定された第一、第二の筒状部材と、
を備え、
前記第一、第二の筒状部材の軸方向に沿って前記第一、第二の棒状部材が所定量の分だけスライドする毎に、該一、第二の筒状部材に対して該第一、第二の棒状部材を固定する肘掛固定手段を備えている、
ことを特徴とする請求項１乃至請求項７の何れか記載のリクライニング椅子。
【請求項９】
前記第一、第二の筒状部材は、上端が前記着座体の上面よりも下方に位置し、しかも該上端が、前記着座体の上面に対して、前記肘掛部材の上下方向の厚みを越える寸法で離間している、
ことを特徴とする請求項８に記載のリクライニング椅子。
【請求項１０】
前記肘掛固定手段は、
軸が前記第一、第二の筒状部材を跨るように水平に配設され、しかも前記第一、第二の筒状部材よりも当該椅子の内側に配設された第三の棒状部材と、
前記第三の棒状部材の軸方向の中間部から前記椅子本体に向けて突出する突出部材と、軸が前記突出部材の突出方向に配設され、該突出部材がその突出方向にスライド自在に挿通される軸方向の挿通孔を有し、前記椅子本体に固定された第三の筒状部材と、
前記第三の筒状部材の挿通孔に挿入され、前記突出部材を前記第一、第二の筒状部材に向けて付勢する付勢部材と
を備え、
前記第一、第二の筒状部材には、該第一、第二の筒状部材の軸に直交するように周壁を貫通する切り欠け孔が、前記第三の棒状部材に面する側に設けられ、且つ、該切り欠け孔は、前記第三の棒状部材の外周部が係合し、前記第一、第二の筒状部材の挿通孔内に該第三の棒状部材が突出する寸法で形成され、
前記第一、第二の棒状部材には、前記第三の棒状部材の外周部が係合する凹部が軸方向に沿って外周に複数形成されている、
ことを特徴とする請求項８又は請求項９に記載のリクライニング椅子。
【請求項１１】
前記肘掛固定手段は、
一端側が前記第三の筒状部材を介して上方側において椅子本体の側壁に回動自在に接続され、一端側と他端側の中間部が前記第三の棒状部材に接続され、他端側が前記第三の筒状部材を介して下方側に延出するレバーを備えている、
ことを特徴とする、
請求項１０に記載のリクライニング椅子。
【請求項１２】
前記第一、第二の棒状部材は、上端における中心軸のピッチが前記第一、第二の筒状部材の中心軸のピッチに略等しく、下端における中心軸のピッチが前記第一、第二の筒状部材の中心軸のピッチと異なり、上端から下端に傾斜している、
ことを特徴とする請求項８乃至請求項１１の何れか記載のリクライニング椅子。
【発明の詳細な説明】
【技術分野】
【０００１】
本発明は、背凭れ部材を背凭れ面が略直立した着座位置から背凭れ面が略水平に仰向けとなる仰向け位置までの間で回動可能なリクライニング椅子に関する。
【背景技術】
【０００２】
従来、椅子本体に着座体及び背凭れ部材が支持され、背凭れ部材が、椅子本体に対して、背凭れ面が略直立した着座位置から背凭れ面が略水平な仰向け位置までの間で回動可能に構成され、背凭れ部材を着座位置に設置して椅子として使用したり、背凭れ部材を仰向け位置に設置してベッドとして使用したりできるリクライニング椅子が知られている。
【０００３】
このように構成されたリクライニング椅子では、背凭れ部材を着座位置から仰向け位置に回動させると、椅子本体に対して背凭れ部材の重心が後方に移動してバランスが悪くなるので、これを防ぐために、背凭れ部材を仰向け位置で用いる際に、床面と背凭れ部材との間に、背凭れ部材を下方から支える補助脚を備えたものがある。例えば、背凭れ部材の背面に、補助脚の上端を上下方向に回動自在に連結し、背凭れ部材を仰向け位置で使用する際には、補助脚を上端を支点として回動させて床面に対して起立させ、背凭れ部材を支え、背凭れ部材を着座位置で使用する際には、補助脚を背凭れ部材の背面に沿わせて収納するように構成されたものがある。（例えば、特許文献１、２、参照）
また、着座体の前方部に上下に回動可能に連結したオットマン（足のせ台）を備え、背凭れ部材を着座位置で使用する際には、着座体に対して、オットマンを足元に向かって延出するように回動させ、背凭れ部材を仰向け位置で使用する際には、着座体に対して、オットマンを略水平に延出するように回動させることによって、椅子本体に対する背凭れ部材の重心移動を、オットマンの回動動作によって相殺するように構成されたものがある。（例えば、特許文献３、４参照）
【特許文献１】特開２００２−５１８６５号公報（第３―６頁、第１―７図）
【特許文献２】特開２００２−２８２０７７号公報（第２―３頁、第１―５図）
【特許文献３】特開２０００−３０８５４３号公報（第２―３頁、第１―３図）
【特許文献４】特開２００１−１９０３５３号公報（第３―５頁、第１―８図）
【発明の開示】
【発明が解決しようとする課題】
【０００４】
しかしながら、特許文献１、２に記載の技術によれば、背凭れ部材を着座位置にしたり仰向け位置にしたりする際に、補助脚を背凭れに対して沿わせたり、起立させたりする操作が必要になるので、その操作が面倒であった。また、背凭れ部材を着座位置から仰向け位置の中間で傾斜させて用いる際には、背凭れ部材の傾動による重心移動によってバランスを損なう虞があった。
【０００５】
次に、特許文献３、４に記載の技術によれば、オットマンには、背凭れ部材の回動動作による重心移動を相殺できる重量が求められるので、リクライニング椅子全体の重量が大きくなり、搬送が困難になる虞がある。
【０００６】
そこで、本発明は、背凭れ部材を着座位置から仰向け位置に回動させる際に、椅子本体に対する背凭れ部材の重心移動を抑制し、着座体及び背凭れ部材を椅子本体にバランス良く支持することができ、しかも、その操作が容易であり、全体の重量を低減することができるリクライニング椅子を提供することを目的とする。
【課題を解決するための手段】
【０００７】
かかる目的を達成するためになされた請求項１記載の発明は、使用者が着座するための着座体と、床面に設置され、前記着座体を略水平に支持するための椅子本体と、前記着座体の左右方向に沿って配設され、該着座体の後端部に連結された第一の支軸と、下端が前記第一の支軸に対して回動自在に係合し、該第一の支軸を支点として、背凭れ面が略直立した着座位置から背凭れ面が略水平に仰向けとなる仰向け位置までの間で回動可能な背凭れ部材と、を備えたリクライニング椅子であって、前記背凭れ部材が着座位置から仰向け位置に向かう回動に伴い、前記椅子本体に対して、前記着座体を前方にスライドさせ、該背凭れ部材の仰向け位置から着座位置に向かう回動に伴い、該椅子本体に対して、該着座体を後方にスライドさせるスライド手段を備えている、ことを特徴とする。
【０００８】
請求項１に記載のリクライニング椅子によれば、背凭れ部材が着座位置から仰向け位置に向かう回動に伴い、椅子本体に対して、着座体を前方にスライドさせ、背凭れ部材の仰向け位置から着座位置に向かう回動に伴い、椅子本体に対して、着座体を後方にスライドさせるスライド手段を備えているので、背凭れ部材を着座位置から仰向け位置の範囲で回動させる際に、着座体及び背凭れ部材を椅子本体にバランス良く支持でき、延いては、リクライニング椅子を使用している使用者を安定して支えることができる。つまり、背凭れ部材を着座位置から仰向け位置に向かって後方へ回動させる際には、椅子本体に対して、着座体を前方にスライドさせることにより、後方への背凭れ部材の重心移動を抑制し、背凭れ部材を仰向け位置から着座位置に向かって前方へ回動させる際には、椅子本体に対して、着座体を後方にスライドさせることにより、前方への背凭れ部材の重心移動を抑制できる。
【０００９】
また、請求項１に記載のリクライニング椅子によれば、椅子本体に対して、背凭れ部材の回動に伴い着座体を前後にスライドさせるスライド手段を備えているので、背凭れ部材を背凭れ位置から仰向け位置の中間位置で傾斜させて用いても、このスライド量を調整し、着座体及び背凭れ部材を椅子本体にバランス良く支持できる。
【００１０】
また、請求項１に記載のリクライニング椅子によれば、仰向け位置で背凭れ部材を支えるための補助脚を必要としないので、利便性が優れている。
また、請求項１に記載のリクライニング椅子によれば、背凭れ部材の重心移動を相殺するための重量を有するオットマンを必要としないので、リクライニング椅子全体の重量を低減することができ、搬送が容易にできる。
【００１１】
次に、請求項２に記載の発明は、請求項１記載のリクライニング椅子において、前記第一の支軸及び前記着座体の後端部は、前記椅子本体の前端部より後方でしかも該椅子本体の後端部より前方側に備えられ、前記スライド手段は、前記背凭れ部材の左右方向に沿って配設され、前記椅子本体の後端部と前記第一の支軸との間の上方の空間において、該背凭れ部材の背面に連結された第二の支軸と、前記椅子本体の左右方向に沿って配設され、該椅子本体の後端部に連結された第三の支軸と、一端が前記第二の支軸に対して回動自在に係合し、他端が、前記椅子本体の前記後端部に向かって延出し、前記第三の支軸に回動自在に係合したリンクと、前記椅子本体の上方に、前後方向に沿って設けられたスライドレールと、前記着座体の下方に、前記スライドレールにスライド自在に設けられたスライド部材と、を備えていることを特徴とする。
【００１２】
請求項２に記載のリクライニング椅子によれば、第一の支軸を支点として背凭れ部材が後方に回動すると、リンクの一端が、背凭れ部材によって下方に向けて付勢され、第二の支軸とともに第三の支軸を支点として椅子本体の前方側に回動し、背凭れ部材及び着座体を前方へ付勢し、一方、第一の支軸を支点として背凭れ部材が前方に回動すると、リンクの一端が、背凭れ部材によって上方に向けて付勢され、第二の支軸とともに第三の支軸を支点として椅子本体の後方側に回動し、背凭れ部材及び着座体を後方へ付勢する。そして、椅子本体の上方に、前後方向に沿ってスライドレールが設けられ、着座体の下方に、スライドレールにスライド自在にスライド部材が設けられているので、背凭れ部材が着座位置から仰向け位置に向かう回動に伴って、着座体が椅子本体に対して前方へスライドし、背凭れ部材が仰向け位置から着座位置に向かう回動に伴って、着座体が椅子本体に対して後方へスライドする。
【００１３】
また、請求項２に記載のリクライニング椅子によれば、背凭れ部材の回動に伴って、リンクが回動し、着座体が同時にスライドするので、利便性が良好である。
次に、請求項３に記載の発明は、請求項２記載のリクライニング椅子において、前記スライド部材は、回転軸を介して前記着座体に回転自在に連結され、前記スライドレールに沿って回転する回転ローラであることを特徴とする。
【００１４】
請求項３に記載のリクライニング椅子によれば、スライド部材は、回転軸を介して着座体に回転自在に連結され、スライドレールに沿って回動する回転ローラであるので、椅子本体に対して着座体をスムーズにスライドさせることができる。
【００１５】
次に、請求項４に記載の発明は、請求項２又は請求項３に記載のリクライニング椅子において、前記着座体の下方に突出して設けられた第一のストッパーと、該第一のストッパーより後方側において前記スライドレールの上面に突出して設けられた第二のストッパーとを備え、前記第一のストッパー及び第二のストッパーは、前記着座体が後方に向かってスライドする際に、前記背凭れ部材の着座位置において突き当たる位置に形成されていることを特徴とする。
【００１６】
請求項４に記載のリクライニング椅子によれば、第一のストッパー及び第二のストッパーは、着座体が後方に向かってスライドする際に、背凭れ部材の着座位置において突き当たる位置に形成されているので、背凭れ部材が仰向け位置から着座位置に向かう回動動作において、背凭れ部材が着座位置に至ると、第一のストッパーが第二のストッパーに突き当たり、着座体のスライドを確実に停止させることができる。
【００１７】
次に、請求項５に記載の発明は、請求項４に記載のリクライニング椅子において、前記第二のストッパーは前記着座体のスライド方向に移動可能であって、該第二のストッパーをスライド方向の任意の位置で固定するストッパー固定手段を備えていることを特徴とする。
【００１８】
請求項５に記載のリクライニング椅子によれば、第二のストッパーは着座体のスライド方向に移動可能であって、第二のストッパーをスライド方向の任意の位置で固定するストッパー固定手段を備えているので、背凭れ部材が仰向け位置から着座位置に向かって回動する際の、着座体の後方へのスライド方向の停止位置を好みの位置に調整できる。そして、着座体の前後の移動と背凭れ部材の回動がリンクを介して連動しているので、着座体の後方への停止位置を変えることによって、着座位置における背凭れ部材の、回動方向の停止角度を変えることができ、背凭れ部材の着座体に対する傾斜角度を調整できる。
【００１９】
次に、請求項６に記載の発明は、請求項１乃至請求項５の何れか記載のリクライニング椅子において、着座体の下方に向けて延出する延出部材と、前記着座体の左右方向に沿って配設され、該着座体の前方側の下方に支持されたシリンダ支持軸と、流体が充填されたシリンダと、該シリンダ内に摺動可能に設けられ、該シリンダ内を二室に画成するピストンと、該ピストンに設けられ、前記シリンダ内の二室を連通する連通路と、基端側が該ピストンに固定され、先端側が前記シリンダ外に突出したピストンロッドとを有するシリンダ装置と、を備え、前記ピストンロッドの先端部とは反対側に位置する前記シリンダの外端部が前記延出部材の先端又は前記シリンダ支持軸に接続され、前記ピストンロッドの先端部が前記シリンダ支持軸又は前記延出部材の先端に接続されている、ことを特徴とする。
【００２０】
請求項６に記載のリクライニング椅子によれば、着座体の下方に向けて延出する延出部材と、着座体の左右方向に沿って配設され、着座体の前方側の下方に支持されたシリンダ支持軸とを備え、ピストンロッドの先端部とは反対側に位置するシリンダの外端部が延出部材の先端又はシリンダ支持軸に接続され、ピストンロッドの先端部がシリンダ支持軸又は延出部材の先端に接続されているので、背凭れ部材が着座位置から仰向け位置に向かう回動動作に伴い着座体が前方へスライドすると、ピストンがピストンロッドの突出方向とは反対方向に向かってシリンダ内を摺動する。そして、背凭れ部材の回動に伴い、シリンダ内の流体の流動抵抗をピストンロッドの軸方向に受けて背凭れ部材の回動に抗する反力を背凭れ部材に加え、背凭れ部材を緩やかに回動させることができる。
【００２１】
次に、請求項７に記載の発明は、請求項６に記載のリクライニング椅子において、前記シリンダ装置は、前記シリンダに対して前記ピストンの摺動動作を停止する停止手段を備えていることを特徴とする。
【００２２】
請求項７に記載のリクライニング椅子によれば、シリンダ装置には、シリンダに対してピストンの摺動動作を停止する停止手段が備えられているので、ピストンの摺動動作を停止することによって、着座体のスライド動作を停止でき、それに伴って、背凭れ部材の回動動作を停止できる。
【００２３】
次に、請求項８に記載の発明は、請求項１乃至請求項７の何れか記載のリクライニング椅子において、長形状に形成された左右一対の肘掛部材と、前記肘掛部材に固定されて下方に突出し、しかも前後方向に所定の間隔を介して一対備えられた第一、第二の棒状部材と、前記第一、第二の棒状部材をスライド自在に支持する挿通孔を有し、前記椅子本体の左右の側壁に固定された第一、第二の筒状部材と、を備え、前記第一、第二の筒状部材の軸方向に沿って前記第一、第二の棒状部材が所定量の分だけスライドする毎に、該一、第二の筒状部材に対して該第一、第二の棒状部材を固定する肘掛固定手段を備えている、ことを特徴とする。
【００２４】
請求項８に記載のリクライニング椅子によれば、長形状に形成された左右一対の肘掛部材と、肘掛部材に固定されて下方に突出し、しかも前後方向に所定の間隔を介して一対備えられた第一、第二の棒状部材と、第一、第二の棒状部材をスライド自在に支持する挿通孔を有し、椅子本体の左右の側壁に固定された第一、第二の筒状部材と、を備え、第一、第二の筒状部材の軸方向に沿って第一、第二の棒状部材が所定量の分だけスライドする毎に、第一、第二の筒状部材に対して第一、第二の棒状部材を固定する肘掛固定手段を備えているので、肘掛部材を上下方向にスライドし、好みの高さに調整して固定できる。
【００２５】
また、請求項８に記載のリクライニング椅子は、請求項９に記載の発明のように、前記第一、第二の筒状部材は、上端が前記着座体の上面よりも下方に位置し、しかも該上端が、前記着座体の上面に対して、前記肘掛部材の上下方向の厚みを越える寸法で離間していることにより、肘掛部材を下方にスライドして着座体よりも下方に収納できる。そして、背凭れ部材が水平の仰向け位置において肘掛部材を下方に収納すると、リクライニング椅子の上面全体がフラットになるので、横座りができたり、テーブルとして用いることができたり、用途が広がり付加価値が大きなものとなる。
【００２６】
次に、請求項１０に記載の発明は、請求項８又は請求項９に記載のリクライニング椅子において、前記肘掛固定手段は、軸が前記第一、第二の筒状部材を跨るように水平に配設され、しかも前記第一、第二の筒状部材よりも当該椅子の内側に配設された第三の棒状部材と、前記第三の棒状部材の軸方向の中間部から前記椅子本体に向けて突出する突出部材と、軸が前記突出部材の突出方向に配設され、該突出部材がその突出方向にスライド自在に挿通される軸方向の挿通孔を有し、前記椅子本体に固定された第三の筒状部材と、前記第三の筒状部材の挿通孔に挿入され、前記突出部材を前記第一、第二の筒状部材に向けて付勢する付勢部材とを備え、前記第一、第二の筒状部材には、該第一、第二の筒状部材の軸に直交するように周壁を貫通する切り欠け孔が、前記第三の棒状部材に面する側に設けられ、且つ、該切り欠け孔は、前記第三の棒状部材の外周部が係合し、前記第一、第二の筒状部材の挿通孔内に該第三の棒状部材が突出する寸法で形成され、前記第一、第二の棒状部材には、前記第三の棒状部材の外周部が係合する凹部が軸方向に沿って外周に複数形成されている、ことを特徴とする。
【００２７】
請求項１０に記載のリクライニング椅子によれば、第一、第二の棒状部材を上下方向に所定量スライドする毎に、第三の棒状部材が突出部材を介して付勢部材に付勢され、第一、第二の筒状部材の切り欠け孔を通じて第三の棒状部材が第一、第二の筒状部材の挿通孔内に突出し、第三の棒状部材の外周部が第一、第二の棒状部材の凹部に係合する。そして、第三の棒状部材の外周部が第一、第二の棒状部材の凹部に係合することにより、第一、第二の筒状部材に対して、第一、第二の棒状部材の上下方向のスライドを抑制する抵抗が増加し、棒状部材を第一、第二の筒状部材を介して椅子本体に固定でき、延いては、肘掛部材を椅子本体に固定できる。
【００２８】
また、請求項１０に記載のリクライニング椅子は、請求項１１に記載の発明のように、前記肘掛固定手段は、一端側が前記第三の筒状部材を介して上方側において椅子本体の側壁に回動自在に接続され、一端側と他端側の中間部が前記第三の棒状部材に接続され、他端側が前記第三の筒状部材を介して下方側に延出するレバーを備えていることにより、レバーを、一端側を支点にして他端側を揺動させ、第三の棒状部材を第一、第二の筒状部材に挿通されている第一、第二の棒状部材に向かって進退させ、第一、第二の棒状部材の凹部に対する第三の棒状部材の係合と離間を容易に操作できる。
【００２９】
次に、請求項１２に記載の発明は、請求項８乃至請求項１１の何れか記載のリクライニング椅子において、前記第一、第二の棒状部材は、上端における中心軸のピッチが前記第一、第二の筒状部材の中心軸のピッチに略等しく、下端における中心軸のピッチが前記第一、第二の筒状部材の中心軸のピッチと異なり、上端から下端に傾斜している、ことを特徴とする。
【００３０】
請求項１２に記載のリクライニング椅子によれば、第一、第二の棒状部材は、上端における中心軸のピッチが第一、第二の筒状部材の中心軸のピッチに略等しく、下端における中心軸のピッチが第一、第二の筒状部材の中心軸のピッチと異なり、上端から下端に傾斜しているので、第一、第二の棒状部材が第一、第二の筒状部材に挿入されると、第一、第二の棒状部材のピッチが第一、第二の筒状部材のピッチに従って変位し、この際、第一、第二の棒状部材のピッチ方向に復帰する付勢力が第一、第二の筒状部材に加えられ、第一、第二の棒状部材と第一、第二の筒状部材とのガタツキを低減できる。
【発明を実施するための最良の形態】
【００３１】
以下、本発明の実施例を図面と共に説明する。
図１は、実施例のリクライニング椅子の分解斜視図、図２（ａ）は、同実施例のリクライニング椅子の外観斜視図、図２（ｂ）は、図（ａ）における矢視Ａ図、図３は、同実施例のリクライニング椅子の側面方向から表した図であって、背凭れ部材が着座位置にある図、図４は、同実施例のリクライニング椅子の側面方向から表した図であって、背凭れ部材が着座位置と仰向け位置との中間位置にある図、図５は、同実施例のリクライニング椅子の側面方向から表した図であって、背凭れ部材が仰向け位置にある図、図６は、同実施例のリクライニング椅子の、肘掛ユニットの構成を表す分解斜視図、図７は、同実施例のリクライニング椅子の、肘掛ユニットの構成を表す正面図、図８は、同実施例の肘掛ユニットを椅子本体に取り付けた部分断面図、図９は、同実施例の肘掛ユニットを椅子本体に取り付けた外観斜視図、図１０は、同実施例の肘掛ユニットの動作説明図であって、（ａ）は肘掛部材が収納位置にある図、（ｂ）は、肘掛部材が（ａ）よりも上方にスライドし、肘掛部材が固定されている図、（ｃ）は、肘掛部材が（ｂ）よりも上方にスライドし、スライド途中にある図、（ｄ）は、肘掛部材が最も上方で固定されている図、図１１は、同実施例のリクライニング椅子に備えたシリンダ装置の構成を表す断面図である。
【００３２】
図１に表したように、リクライニング椅子１は、使用者が着座するための着座体３と、床面に設置され、着座体３を略水平に指示するための椅子本体２と、着座体３の左右方向に沿って配設され、着座体３の後端部３ａに連結された第一の支軸４と、下端が第一の支軸４に対して回動自在に係合し、第一の支軸４を支点として、背凭れ面が略直立した着座位置から背凭れ面が略水平な仰向け位置までの間で回動可能な背凭れ部材６と、椅子本体２の左右の側壁２ａ、２ｂに固定される左右一対の肘掛ユニット５０とを備えている。
【００３３】
椅子本体２は、図１に表したように、左右の側壁２ａ、２ｂと前壁２ｃ及び後壁２ｄ、これらから下方に延出する４本の脚体３３〜３６とによって構成されている。また、脚体３３〜３６の下端には、床面に設置され、床面に対して回動可能なキャスタ３７〜４０が取り付けられている。
【００３４】
椅子本体２には、前壁２ｃの上面に前部取り付け金具４０がネジ４２によってネジ止めされ、後壁２ｄの上面に後部取り付け金具４１がネジ４３によってネジ止め固定される。そして、前部取り付け金具４０と後部取り付け金具４１を跨るように、左右一対のスライドレール９ａ、９ｂが、前部取り付け金具４０、後部取り付け金具４１に固定されている（所謂、椅子本体２の上方に、前後方向に沿ってスライドレール９ａ、９ｂが設けられている）。
【００３５】
次に、着座体３は、図３に表したように、着座体ベース部材５と、着座体ベース部材５の上面に設置される板状の座板５ａと、座板５ａを覆うクッション材５ｂとにより構成される。クッション材５ｂは、座板５ａに対して（例えば、面ファスナを用いて）着脱可能に固定されている。
【００３６】
また、図１に表したように、着座体ベース部材５には左右の側板５ｃ、５ｄが備えられ、着座体ベース部材５の後端部において左右の側板５ｃ、５ｄを貫通して第一の支軸４が固定されている。また、左右の側板５ｃ、５ｄの後方側に、回転軸４５ａ、４５ｂを介して、回動自在に回転ローラ（所謂、本発明のスライド部材である）１０ａ、１０ｂが支持されている。そして、回転ローラ１０ａ、１０ｂを介して、着座体ベース部材５の後方側がスライドレール９ａ、９ｂ上にスライド自在に支持されている。
【００３７】
また、図３に表したように、着座体ベース部材５の左右の側板５ｃ、５ｄの前方側に、側板５ｃに支持された回転軸４６ａ、側板５ｄに支持された回転軸４６ｂ等を介して、回動自在に回転ローラ１０ｃ、１０ｄ（所謂、本発明のスライド部材である）が支持されている。そして、回転ローラ１０ｃ、１０ｄを介して、着座体ベース部材５の前方側がスライドレール９ａ、９ｂ上にスライド自在に支持されている。
【００３８】
更に、図３に表したように、着座体ベース部材５の左右の側板５ｃ、５ｄには、スライドレール９ａ、９ｂを介して下方に、スライドレール９ａ、９ｂの下面に当接して回動する回転ローラ１０ｆが回転軸１０ｅを介して回動自在に支持されている。尚、第一の支軸４及び着座体ベース部材５の後端部は、椅子本体２の前壁（椅子本体２の前端部に相当する）２ｃより後方であって、しかも椅子本体２の後壁（椅子本体２の後端部に相当する）２ｄより前方側に位置するように設けられている。
【００３９】
また、着座体ベース部材５の下方に延出する左右の側板５ｃ、５ｄの内側には、軸が左右方向に配設された棒状の第一のストッパー１１が左右の側板５ｃ、５ｄに接続され（所謂、第一のストッパーは、着座体の下方に突出して設けられている）、スライドレール９ａ、９ｂ上には、上方に突出して第二のストッパー１２が第一のストッパー１１より後方側に設けられている。そして、第一のストッパー１１及び第二のストッパー１２は、着座体３が後方に向かってスライドする際に、背凭れ部材６の着座位置（図３に表した位置）において、スライドレール９ａ、９ｂ上で突き当たる位置に形成されている。また、スライドレール９ａ、９ｂの前後方向に沿って上下に貫通する長孔（図示せず）が形成され、第二のストッパー１２の下端にはこの長孔に挿通されスライドレール９ａ、９ｂの下方に突出する軸（図示せず）が備えられている。また、スライドレール９ａ、９ｂの下方に突出した第二のストッパー１２の軸の周囲には、螺旋状のネジ（図示せず）が形成されている。そして、第二のストッパー１２は、この長孔の範囲内でスライドレール９ａ、９ｂに沿って前後に移動し、所定の位置で、スライドレール９ａ、９ｂの下方から、ナット（図示せず）によって第二のストッパー１２の軸がスライドレール９ａ、９ｂに固定される。尚、本発明のストッパー固定手段は、スライドレール９ａ、９ｂに形成された長孔、長孔に挿通される第二のストッパー１２の軸、ナット等によって、その機能が発現される。
【００４０】
次に、背凭れ部材６は、図３に表したように、板状の背凭れ基材６ａと背凭れ基材６ａの上面を覆うクッション材６ｂによって構成されている。クッション材６ｂは、背凭れ基材６ａに対して（例えば、面ファスナを用いて）着脱可能に固定されている。
【００４１】
また、図２に表したように、背凭れ部材６の背面には、背凭れ部材６の背面に固定された支持具４７を介して、椅子本体２の後端部と第一の支軸４との間の上方の空間において、背凭れ部材６の左右方向に沿って配設された第二の支軸７が連結され、第二の支軸７の両端には、左右一対のリンク８ａ、８ｂの一端８ｃ、８ｄが回動自在に係合している。尚、支持具４７は支持具取り付け部材４７ａ、４７ｂと背凭れ部材６との間に挟着されて背凭れ部材６に固定されている。
【００４２】
後部取り付け金具４１には、椅子本体２の左右方向に配設された第三の支軸４８が接続され（所謂、後部取り付け金具４１を介して第三の支軸４８が椅子本体２の後端部に連結されている。）、この第三の支軸４８にはリンク８ａ、８ｂの他端８ｅ、８ｆが回動自在に係合している。
【００４３】
次に、第一の支軸４には、軸の中央に一対の延出部材１３ａ、１３ｂが回動自在に係合している。
延出部材１３ａ、１３ｂは、図３に表したように、中間部が第一の支軸４に対して回動自在に係合し、一端側１３ｃが背凭れ部材６の背面に沿って延出して第二の支軸７に接続され、他端側１３ｄが着座体ベース部材５の下方に向けて延出している。また、着座体ベース部材５の前方側の下方において、左右方向に沿って配設されたシリンダ支持軸１４が、取り付け具４９を介して着座体ベース部材５に接続されている。
【００４４】
そして、延出部材１３ａ、１３ｂの他端側１３ｄには、シリンダ装置１５のシリンダの外端部（図１１中の符合１５ｇ）が接続され、シリンダ支持軸１４には、シリンダ装置１５のピストンロッド（図１１中の符合１５ｆ）の先端部が、ピストンロッド連結具（図１１中の符合１５ｐ）を介して、回動自在に接続されている。
【００４５】
次に、シリンダ装置１５は、図１１に表したように、オイル（所謂、流体である。）１５ｍが充填されたシリンダ１５ａ、シリンダ１５ａ内に摺動可能に設けられ、シリンダ１５ａ内をピストンロッド１５ｆの突出方向とは反対側の一方の室１５ｃとピストンロッド１５ｆの突出側に位置する他方の室１５ｄとの二室に画成するピストン１５ｂ、ピストン１５ｂに設けられ、シリンダ１５ａ内の一方の室１５ｃと他方の室１５ｄとを連通する連通路１５ｅ、基端側がピストン１５ｂに固定され、先端側がシリンダ１５ａ外に突出したピストンロッド１５ｆ、連通路１５ｅを開閉する弁機構１５ｈ、等を備えている。
【００４６】
また、シリンダ１５ａの一方の室１５ｃには、ピストン１５ｂ側にオイル１５ｍが充填され、オイル１５ｍを介してシリンダ１５ａの端部側に圧縮ガス１５ｎが充填されている。
【００４７】
シリンダ装置１５は、ピストン１５ｂが他方の室１５ｄから一方の室１５ｃに向かって摺動する際には、オイル１５ｍが一方の室１５ｃから連通路１５ｅを介して他方の室１５ｄに流れ、圧縮ガス１５ｎの反力をピストンロッド１５ｆの軸方向に受ける。また、シリンダ装置１５は、ピストン１５ｂが一方の室１５ｃから他方の室１５ｄに向かって摺動する際には、オイル１５ｍが他方の室１５ｄから連通路１５ｅを介して一方の室１５ｃに流れ、圧縮ガス１５ｎの反力をピストンロッド１５ｆの軸方向に受ける。
【００４８】
弁機構１５ｈは、ピストンロッド１５ｆ内に軸方向に摺動可能に挿通され、一端側がピストン１５ｂより突出して備えられて弁軸１５ｋと、弁軸１５ｋの一端側に接合され、一方の室１５ｃ側においてピストン１５ｂの端面に離着座する環状弁体１５ｓとから構成されている。
【００４９】
また、レバー１５ｔが、シリンダ支持軸１４により、ピストンロッド連結具１５ｐに回転自在に装着されている。そして、レバー１５ｔの他端にはワイヤ５４が接続されており、ワイヤ５４の他端は、椅子本体２に接続された回転軸５２を介して回動し、ワイヤ５４を進退させるレバー５１に接続されている。
【００５０】
そして、弁機構１５ｈの弁軸１５ｋの他端側がピストンロッド１５ｆの先端よりも外方に突出し、弁軸１５ｋの他端側は、レバー１５ｔの上側面に当接するようになっている。
また、レバー５１は、常時、スプリング５３によって図１１中のＹ方向に付勢されている。スプリング５３は一端がレバー５１に接続され、他端が椅子本体２に接続されている。そして、スプリング５３は、レバー５１に対してＹ方向に張力を付勢している。また、この際、ワイヤ５４は、緩んだ状態となり、レバー１５ｔの上側部に当接している弁軸１５ｋの他端側には、弁軸１５ｋをビストンロッド１５ｆの中に押し込む押圧力が加わらないため、環状弁体１５ｓがピストン１５ｂに当接し、連通路１５ｅを閉鎖するようになっている。つまり、シリンダ１５ａに対するピストン１５ｂの摺動動作が停止されている。
【００５１】
そして、レバー５１を図中のＱ方向（時計回り）に回動させると、ワイヤ５４に張力が付勢され、レバー１５ｔの他端がワイヤ５４に引っ張られる。そして、レバー１５ｔがシリンダ支持軸１４を中心として反時計回りに回動し、弁軸１５ｋの他端側を押す。そして、弁軸１５ｋが押されることにより、弁軸１５ｋがシリンダ１５ａの外端部１５ｇ側に向かって摺動し、環状弁体１５ｓがピストン１５ｂの端面から離間して連通路１５ｅが開放され、シリンダ１５ａに対するピストン１５ｂの摺動動作の停止が解除される。
【００５２】
尚、本発明の停止手段は、弁機構１５ｈ、レバー１５ｔ、レバー５１、回転軸５２、スプリング５３、ワイヤ５４等によって、その機能が発現される。
次に、前述の構成を有するリクライニング椅子１の動作を、図３〜図５に基づいて説明する。尚、図３〜図５は、図中のＰ部を除き、図２（ｂ）におけるＡ−Ａ断面図であって、図中のＰ部は、図２（ｂ）におけるＢ−Ｂ断面図である。Ｐ部は、スライドレール９ａ、９ｂと着座体ベース部材５との位置関係を表すために、Ｐ部を除く他の部分に対して下方にずらして図示している。
【００５３】
まず、図３において、リクライニング椅子１は、背凭れ部材６が着座体３に対して、やや後方に傾斜して起立し、着座位置に設置されている。
また、この際、図１１に表したシリンダ装置１５における弁機構１５ｈの環状弁体１５ｓがピストン１５ｂの端面に当接して連通路１５ｅを閉鎖し、シリンダ１５ａに対するピストン１５ｂの摺動が停止されている。そして、これに伴って、図３に表したように、第一の支軸４に対する延出部材１３ａ、１３ｂの回動動作が停止され、延出部材１３ａ、１３ｂを介して、背凭れ部材６の回動動作が停止されている。また、Ｐ部に表したように、着座体ベース部材５の下方に突出して設けられた第一のストッパー１１が、スライドレール９ａ、９ｂの上面に突出して設けられた第二のストッパー１２に突き当たることによって、着座体３の後方ヘのスライドが停止されている。
【００５４】
また、背凭れ部材６を図３から図４、図５のように後方へ回動させる際には、図１１に表したレバー５１をＱ方向に回動し、シリンダ装置１５における弁機構１５ｈの環状弁体１５ｓをピストン１５ｂの端面から離間させ、シリンダ１５ａに対するピストン１５ｂの停止を解除すればよい。
【００５５】
次いで、背凭れ部材６に対して後方に荷重を加えると（例えば、着席者が背凭れ部材に対して体重を加えると）、図４のように、背凭れ部材６が第一の支軸４を支点として後方に向かって回動し、リンク８ａ、８ｂが、背凭れ部材６によって下方に付勢され、椅子本体２の後端部に備えた第三の支軸４８を支点として、第二の支軸７とともに前方に向けて（図４中のＭ方向である）回動する。また、リンク８ａ、８ｂが前方に向かって回動すると、リンク８ａ、８ｂの一端に接続された背凭れ部材６が着座体３と共に前方に押し出され、着座体ベース部材５に接続された回転ローラ１０ａ〜１０ｄ、１０ｆがスライドレール９ａ、９ｂに沿って回転し、着座体３が前方にスライドする。
【００５６】
また、図４のＰ部に表したように、着座体３のスライドに伴って、第一のストッパー１１が第二のストッパー１２から離間する。
また、この際、延出部材１３ａ、１３ｂが、第一の支軸４を支点として、他端側１３ｄが前方に向かうように（時計回りに）回動し、図１１に表したように、シリンダ装置１５におけるピストン１５ｂがシリンダ１５ａ内の他方の室１５ｄから一方の室１５ｃに向かって摺動する。そして、背凭れ部材６は、ピストン１５ｂが摺動する際の圧縮ガス１５ｎの反力を、ピストンロッド１５ｆ及び延出部材１３ａ、１３ｂを介して受け、緩やかに回動する。尚、背凭れ部材６の回動動作を停止させる際には、図１１に表したように、レバー５１をＹ方向に戻し、シリンダ１５ａに対するピストン１５ｂの摺動動作を停止すればよい。
【００５７】
次いで、背凭れ部材６を図４の位置から後方に回動させ、図５に表したように、背凭れ部材６の背面を椅子本体２の上面に当接させると、背凭れ部材６の回動が停止し、背凭れ部材６が水平となって仰向け位置になる。そして、背凭れ部材６の回動停止に伴って、着座体３のスライド動作も停止する。
【００５８】
続いて、この仰向け位置で背凭れ部材６を維持する際には、図１１に表したように、レバー５１をＹ方向に戻し、シリンダ１５ａに対するピストン１５ｂの摺動動作を停止すればよい。
【００５９】
また、背凭れ部材６を図５から図４、図３のように前方へ回動させる際には、シリンダ１５ａに対するピストン１５ｂの停止を解除し、次いで、背凭れ部材６に対して起立させる向きに荷重を加えると、背凭れ部材６が第一の支軸４を支点として前方に向かって回動し、リンク８ａ、８ｂが、背凭れ部材６によって上方に付勢され、椅子本体２の後端部に備えた第三の支軸４８を支点として、第二の支軸７とともに後方に向けて（図４中のＭの反対方向である）回動する。また、リンク８ａ、８ｂが後方に向かって回動すると、リンク８ａ、８ｂの一端に接続された背凭れ部材６が着座体３と共に後方に引き戻され、着座体ベース部材５に接続された回転ローラ１０ａ〜１０ｄ、１０ｆがスライドレール９ａ、９ｂに沿って回転し、着座体３が後方にスライドする。また、背凭れ部材６が着座位置に至ると、第一のストッパー１１が第二のストッパー１２に突き当たり、着座体３のスライドが停止し、着座体３のスライド停止に伴って背凭れ部材６の回動動作も停止する。尚、本発明のスライド手段は、第二の支軸７、第三の支軸４８、リンク８ａ、８ｂ、スライドレール９ａ、９ｂ、回転ローラ１０ａ〜１０ｄ、１０ｆ等によって、その機能が発現される。
【００６０】
続いて、この着座位置で背凭れ部材６を維持する際には、図１１に表したように、レバー５１をＹ方向に戻し、シリンダ１５ａに対するピストン１５ｂの摺動動作を停止すればよい。
尚、図３において、Ｒ１は、椅子本体２に対する着座体３の前後方向の位置を固定して背凭れ部材６を回動させたときの回動軌跡（従来の回動軌跡である。）、Ｒ２は、本実施例のように、背凭れ部材６の回動に伴って、着座体３をスライドさせたときの回動軌跡である。Ｒ２はＲ１よりも内方の回動軌跡となり、背凭れ部材６が水平の着座位置においてＲ２はＲ１よりも図３中のＸの距離だけ前方に移動している。したがって、背凭れ部材６を後方へ回動した際に、Ｒ２の回動軌跡を有する本実施例は、Ｒ１の回動軌跡を有する従来例に比較すると、椅子本体に対する背凭れ部材６の後方への重心移動が着座体３のスライドによって相殺されていることが判る。
【００６１】
次に、図１、図６〜図１０を用いて、肘掛ユニット５０の構成を説明する。
まず、肘掛ユニット５０は、図１に表したように、左右一対備えられ、肘掛ユニット取り付け金具３０を介して椅子本体２の左右の側壁２ａ、２ｂにネジ４４によって固定される。
【００６２】
図６に表したように、肘掛ユニット取り付け金具３０は、前面板３０ａと前面板３０ａの上端から後方に延出した上面板３０ｂと、前面板３０ａの両側縁から前方に延出した側面板３０ｃ、３０ｄとを備えている。また、椅子本体２の側壁２ａ、２ｂは、図８に表したように、椅子本体２の前後方向に沿って形成された空洞２ｆを有し、空洞２ｆ内に肘掛ユニット取り付け金具３０を固定するための内部金具７０が装着されている。そして、肘掛ユニット取り付け金具３０は、上面板３０ｂが椅子本体２の側壁２ａ、２ｂの上面に設置され、内部金具７０にネジ止めされ、椅子本体２の側壁に２ａ、２ｂ固定される。
【００６３】
次に、図６に表したように、肘掛ユニット５０は、棒状部材取り付け金具６０を挿入するための空洞２０ａを有し下方が開口された長形状の肘掛部材２０、空洞２０ａ内に収納されて肘掛部材２０にネジ止めされ、第一、第二の棒状部材２１、２２をネジ止めするための孔６０ａ、６０ｂを備えた棒状部材取り付け金具６０、第一、第二の棒状部材２１、２２の上端に嵌合し、上端で棒状部材取り付け金具６０を支持する管座６１、６２、肘掛部材２０に棒状部材取り付け金具６０及び管座６１、６２を介してネジ止めされ、肘掛部材２０の長手方向に所定の間隔を介して備えられた一対の第一、第二の棒状部材２１、２２、第一、第二の棒状部材２１、２２の下方に配設され、第一、第二の棒状部材２１、２２が挿通される挿通孔２３ａ、２４ａを備えた第一、第二の筒状部材２３、２４、第一、第二の筒状部材２３、２４の両端に嵌合し、第一、第二の棒状部材２１、２２が挿通されてスライドするスライド孔６３ａ、６４ａを備えた第一、第二の軸受け部材、６３と６４、６５と６６等を備えている。
【００６４】
第一、第二の棒状部材２１、２２には、第一、第二の棒状部材２１、２２の外径よりも大きい外径を有する管座６１、６２が上端に嵌め込まれ、管座６１、６２を介して、棒状部材取り付け金具６０にネジ止めされる。また、この際、第一、第二の棒状部材２１、２２は、上端の中心軸のピッチが第一、第二の筒状部材２３、２４の中心軸のピッチに略等しく、下端のピッチが上端のピッチより広くなるように傾斜し、棒状部材取り付け金具６０に固定される。また、第一、第二の棒状部材２１、２２の周面には、第三の棒状部材２５の外周部が係合する凹部２１ａ、２１ｂ、２１ｃ、２２ａ、２２ｂ、２２ｃが、軸方向に沿って形成されている。
【００６５】
第一、第二の筒状部材２３、２４には、図７、図８に表したように、両端に第一の軸受け部材６３、６４、第二の軸受け部材６５、６６が嵌合し、ネジ７２によって固定されている。
【００６６】
また、図８に表したように、第一、第二の筒状部材２３、２４は、肘掛ユニット取り付け金具３０の側面板３０ｃ、３０ｄの端部に接合されている（例えば、溶接やロウ付けなどで接合されている）。
【００６７】
また、第一、第二の筒状部材２３、２４は、図７に表したように、上端側の中心軸のピッチＰ１と下端側の中心軸のピッチＰ２が等しく、第一、第二の棒状部材２１、２２の上端側における中心軸のピッチに等しくなるように、肘掛ユニット取り付け金具３０に接合されている。
【００６８】
また、図８に表したように、第一、第二の筒状部材２３、２４の上側に嵌合している第一の軸受け部材６３、６４の上端が、着座体３の上面３ｘ（クッション材５ｂの上面である）に対して下方に位置し、しかも、肘掛部材２０の上下方向の厚みＴを越える寸法で離間するように、肘掛ユニット取り付け金具３０を介して椅子本体２に取り付けられている。
【００６９】
また、第一、第二の筒状部材２３、２４には、第一、第二の筒状部材２３、２４に直交するように周壁を貫通する切り欠け孔（図１０の符合２３ｆ、２４ｆ）が、第三の棒状部材２５に面する側に設けられている。切り欠け孔２３ｆ、２４ｆは、第三の棒状部材２５の外周部が係合し第一、第二の筒状部材２３、２４の挿通孔２３ａ、２４ａ内に第三の棒状部材２５が突出する寸法で形成されている。
【００７０】
次に、図６に表したように、肘掛ユニット５０は、軸が第一、第二の筒状部材２３、２４を跨るように水平に配設され、しかも第一、第二の筒状部材２３、２４よりも当該椅子の内側に配設された第三の棒状部材２５、第三の棒状部材２５が挿通されて係合される係合孔（図８中の符合２６ａ）を有し、この係合孔２６ａを介して第三の棒状部材２５と係合すると、第三の棒状部材２５の軸方向の中間部から椅子本体２に向けて突出する突出部材２６、軸が突出部材２６の突出方向に配設され、突出部材２６がスライド自在に挿通される挿通孔２７ａを有し、外周部が肘掛ユニット取り付け金具３０の前面板３０ａに固定された第三の筒状部材２７、第三の筒状部材２７の挿通孔２７ａ内に挿入され、突出部材２６を第一、第二の筒状部材２３、２４に向けて付勢する圧縮コイルばね（図８中の符合２８であって、所謂、付勢部材である）、コの字状に形成され、コの字状の先端側が肘掛ユニット取り付け金具３０の側面板３０ｃ、３０ｄに係合するレバー２９、レバー２９と第三の棒状部材２５とを接続するＯリング６７、６８等を備えている。
【００７１】
図１０に表したように、肘掛ユニット取り付け金具３０の側面板３０ｃ、３０ｄには、第一、第二筒状部材２３、２４から肘掛ユニット取り付け金具３０の前面板３０ａ（椅子本体２椅子の側壁２ａ、２ｂ側）に向かって、第三の棒状部材２５をスライド自在に支持するスライド溝３０ｆが形成されている。
【００７２】
また、第三の棒状部材２５は、図１０に表したように、第一、第二の筒状部材２３、２４の周壁に形成された切り欠け孔２３ｆ、２４ｆに係合するとともに、肘掛ユニット取り付け金具３０の側面板３０ｃ、３０ｄに設けられたスライド溝３０ｆにスライド自在に支持されている。また、第三の棒状部材２５は、図８に表したように突出部材２６に形成された係合孔２６ａに係合し、図９に表したように、Ｏリング６７、６８によってレバー２９に接続されている。
【００７３】
レバー２９は、図６に表したように、水平に配置された水平軸（本発明の、レバーの他端側に相当する）２９ａの両端から一対の側方軸２９ｂ、２９ｃが略直交して延出し、側方軸２９ｂ、２９ｃの端縁から水平軸２９ａと平行に、外方に向かって第二、第三の水平軸２９ｄ、２９ｅ（本発明の、レバーの一端側に相当する）が延出している。また、レバー２９は、水平軸２９ａに沿って、側方軸２９ｂ、２９ｃ間に板状の部材２９ｆが接合されている。
【００７４】
また、レバー２９は、図８に表したように、第二、第三の水平軸２９ｄ、２９ｅの外周が、肘掛ユニット取り付け金具３０の側面板３０ｃ、３０ｄに形成された凹部３０ｇに回動自在に係合している。また、レバー２９は、図１０に表したように、側方軸２９ｂ、２９ｃと第三の棒状部材２５が交差する位置（レバーの一端側と他端側の中間部である）にＯリング６７、６８が掛けられ、第三の棒状部材２５に接続されている。
【００７５】
次に、前述の構成を有する肘掛ユニット５０の動作を、図９、図１０に基づいて説明する。
即ち、図９の（ａ）のように、肘掛部材２０を肘掛として使用する必要がないときに、肘掛部材２０が着座体３の上面より下方に収納された収納位置にあり、第一、第二の棒状部材２１、２２の下端は、第一、第二の筒状部材２３、２４の下端から下方に突出している。また、この際、図１０の（ａ）に表したように、肘掛部材２０の下面が、第一の軸受け部材６３、６４を介して、第一、第二の筒状部材２３、２４の上端に当接している。
【００７６】
また、図１０（ａ）に表したように、第三の棒状部材２５は、第一、第二の筒状部材２３、２４の切り欠け孔２３ｆ、２４ｆを介して、第一、第二の筒状部材２３、２４の挿通孔２３ａ、２４ａ内に突出している。
【００７７】
また、第三の棒状部材２５は、突出部材２６を介して、圧縮コイルばね２８によって、第一、第二の棒状部材２１、２２に付勢されている。
次いで、図９の（ｂ）に表したように、肘掛部材２０を引き上げると、第一、第二の筒状部材２３、２４に対して第一、第二の棒状部材２１、２２が上方にスライドする。
【００７８】
そして、図１０の（ｂ）に表したように、第一、第二の棒状部材２１、２２に形成された凹部２１ｂ、２２ｂが第三の棒状部材２５に対向する位置に至ると、第三の棒状部材２５が圧縮コイルばね２８により第一、第二の棒状部材２１、２２に付勢されているので、第三の棒状部材２５が第一、第二の棒状部材２１、２２側にスライドし、第三の棒状部材２５の外周部が第一、第二の棒状部材２１、２２の凹部２１ｂ、２２ｂに係合する。尚、第一、第二の棒状部材２１、２２に形成された凹部２１ａ、２２ａが第三の棒状部材２５に対向する位置に至った場合も、図１０の（ｂ）と同様に、第三の棒状部材２５の外周部が第一、第二の棒状部材２１、２２の凹部２１ａ、２２ａに係合する。
【００７９】
そして、この係合により、第一、第二の筒状部材２３、２４に対して、第一、第二の棒状部材２１、２２のスライド抵抗が増加し、第一、第二の棒状部材２１、２２が固定され、延いては、肘掛部材２０が椅子本体２に固定される。
【００８０】
また、第三の棒状部材２５が第一、第二の棒状部材２１、２２側にスライドするに従って、第三の棒状部材２５に係合している突出部材２６が、圧縮コイルばね２８に付勢され、第一、第二の棒状部材２１、２２側に向かって第三の筒状部材２７内をスライドする。また、第三の棒状部材２５に接続されたレバー２９は、第二、第三の水平軸（図６中の符合２９ｄ、２９ｅ）を支点として第一の水平軸（図６中の符合２９ａ）側が外方に向かって回動する。
【００８１】
次いで、第一、第二の棒状部材２１、２２を、（ｂ）の位置から更に上方にスライドさせる際には、図１０の（ｃ）に表したように、レバー２９の他端側の水平軸（図６中の符合２９ａ）及び板状の部材（図６中の符合２９ｆ）を押さえて椅子本体２側に向けて回動させることにより、第三の棒状部材２５を第一、第二の棒状部材２１、２２から離間させ、その後、肘掛部材２０を上方に引き上げるとよい。この際、第三の棒状部材２５が第一、第二棒状部材２１、２２から離間する方向にスライドするに従って、第三の棒状部材２５に係合している突出部材２６が、圧縮バネ２８を付勢し、第一、第二の棒状部材２１、２２とは反対側に向かって、第三の筒状部材２７内をスライドする。
【００８２】
次いで、肘掛部材２０を引き上げると、図１０の（ｄ）に表したように、第一、第二の棒状部材２１、２２に形成された凹部２１ｃ、２２ｃが第三の棒状部材２５に対向する位置に至り、第三の棒状部材２５が圧縮コイルばね２８に付勢され凹部２１ｃ、２２ｃに係合する。そして、この係合により、第一、第二の筒状部材２３、２４に対して、第一、第二の棒状部材２１、２２のスライド抵抗が増加し、第一、第二の棒状部材２１、２２が固定され、延いては、肘掛部材２０が椅子本体２に固定される。また、第三の棒状部材２５に接続されたレバー２９は、第二、第三の水平軸（図６中の符合２９ｄ、２９ｅ）を支点として第一の水平軸（図６中の符合２９ａ）側が外方に向かって回動する。
【００８３】
尚、本発明の肘掛固定手段は、第一、第二の棒状部材２１、２２筒状部材に設けられた凹部２１ａ〜２１ｃ、２２ａ〜２２ｃ、第一、第二の筒状部材２３、２４に設けられた切り欠け孔２３ｆ、２４ｆ、第三の棒状部材２５、突出部材２６、第三の筒状部材２７、圧縮コイルばね２８、レバー２９、肘掛ユニット取り付け金具３０等によって、その機能が発現される。
【００８４】
次いで、肘掛部材２０を下方にスライドさせる際には、レバー２９の他端側を肘掛ユニット取り付け金具３０に向けて押さえて回動させ、第三の棒状部材２５を第一、第二の棒状部材２１、２２から離間させ、その後、肘掛部材２０を下方に押し下げるとよい。
【００８５】
肘掛部材２０を下方に押し下げ、第一、第二の棒状部材２１、２２が下方にスライドするに従って、第一、第二の棒状部材２１、２２の凹部２１ａ〜２１ｃ、２２ａ〜２２ｃが、順次、第三の棒状部材２５に対向する位置に至り、第三の棒状部材２５の周面が凹部に２１ａ〜２１ｃ、２２ａ〜２２ｃに係合する。この際、肘掛部材２０が好みの位置であれば、その係合された位置を維持すればよい。更に、肘掛部材２０を下方にスライドさせる際には、図１０の（ｃ）と同様に、レバー２９の他端側の水平軸（図６中の符合２９ａ）及び板状の部材（図６中の符合２９ｆ）を押さえて肘掛ユニット取り付け金具３０に向けて回動させることにより、第三の棒状部材２５を第一、第二の棒状部材２１、２２から離間させ、その後、肘掛部材２０をスライドさせればよい。
【００８６】
次に、前述のように構成された実施例のリクライニング椅子１の作用効果を記載する。
実施例に記載のリクライニング椅子１によれば、背凭れ部材６が着座位置から仰向け位置に向かう回動に伴い、椅子本体２に対して着座体３を前方にスライドさせ、背凭れ部材６の仰向け位置から着座位置に向かう回動に伴い、椅子本体２に対して着座体３を後方にスライドさせることができる。これにより、背凭れ部材６を着座位置から仰向け位置の範囲で回動させても、着座体３及び背凭れ部材６を椅子本体２にバランス良く支持でき、延いては、リクライニング椅子１を使用している使用者を安定して支えることができる。
【００８７】
また、実施例のリクライニング椅子１によれば、背凭れ部材６を着座位置から仰向け位置の中間位置で係止して用いても、椅子本体２に対する着座体３のスライド量を調整し、椅子本体２に対して着座体３及び背凭れ部材６をバランス良く支持できる。
【００８８】
また、実施例のリクライニング椅子１によれば、椅子本体２の上方には、前後方向に沿ってスライドレール９ａ、９ｂが設けられ、着座体３の下方には、スライドレール９ａ、９ｂに沿って回転する回転ローラ１０ａ〜１０ｄ、１０ｆが設けられているので、着座体３をスムーズにスライドさせることができる。
【００８９】
また、実施例のリクライニング椅子１によれば、背凭れ部材６の回動に伴って着座体３がスライドするので、利便性が良好である。
また、実施例のリクライニング椅子１によれば、背凭れ部材６が仰向け位置から着座位置に向かう回動動作において、背凭れ部材６が着座位置に至ると、第一のストッパー１１が第二のストッパー１２に突き当たり、着座体３のスライドを着座位置で確実に停止させることができる。
【００９０】
また、実施例のリクライニング椅子１によれば、中間部が第一の支軸４に対して回動自在に係合し、一端側が背凭れの背面に延出して第二の支軸７に接続され、他端側が着座体３の下方に向けて延出された延出部材１３ａ、１３ｂを備え、シリンダ１５ａの外端部１５ｇが延出部材１３ａ、１３ｂの他端側の先端に接続され、ピストンロッド１５ｆの先端側が着座体ベース部材５に接続されたシリンダ支持軸１４に接続されているので、背凭れ部材６が着座位置から仰向け位置に向かって回動する動作に伴い、シリンダ１５ａ内の圧縮ガス１５ｎの反力をピストンロッド１５ｆの軸方向に受けて、背凭れ部材６を緩やかに回動させることができる。
【００９１】
また、実施例のリクライニング椅子１によれば、シリンダ装置１５には、シリンダ１５ａに対してピストン１５ｂの摺動動作を停止する弁機構１５ｈが備えられ、弁機構１５ｈを作動させるためのレバー５１が椅子本体２に備えられているので、着座体３のスライド動作及び背凭れ部材の回動動作の、作動及び停止を容易に操作できる。
【００９２】
また、実施例のリクライニング椅子１によれば、肘掛部材２０に固定されて下方に突出し、しかも前後方向に所定の間隔を介して一対備えられた第一、第二の棒状部材２１、２２と、第一、第二の棒状部材２１、２２をスライド自在に支持する挿通孔２３ａ、２４ａを備え、椅子本体２の側壁２ａ、２ｂに固定された第一、第二の筒状部材２３、２４とを備え、第一、第二の筒状部材２３、２４の軸方向に沿って第一、第二の棒状部材２１、２２が所定量の分だけスライドする毎に、第一、第二の筒状部材２３、２４対して第一、第二の棒状部材２１、２２を固定できるように構成されているので、肘掛部材２０を好みの高さに調整して固定できる。
【００９３】
また、実施例のリクライニング椅子１によれば、レバー２９を操作し、肘掛部材２０のスライドの停止とその解除を容易に操作できる。
また、実施例のリクライニング椅子１によれば、第一、第二の棒状部材２１、２２は、上端の中心軸のピッチが第一、第二の筒状部材２３、２４の中心軸のピッチに略等しく、下端の中心軸のピッチが第一、第二の筒状部材２３、２４の中心軸のピッチより広くなるように傾斜しているので、第一、第二の棒状部材２１、２２が第一、第二の筒状部材２３、２４に挿入されると、第一、第二の棒状部材２１、２２の中心軸のピッチが第一、第二の筒状部材２３、２４の中心軸のピッチに従って変位し、第一、第二の棒状部材２１、２２と第一、第二の筒状部材２３、２４とのガタツキを低減できる。
【００９４】
また、実施例のリクライニング椅子１によれば、第一、第二の筒状部材２３、２４に嵌合して備えられた第一の軸受け部材６３、６４は、着座体３の上面に対して、上端が下方に位置し、しかも上端が肘掛部材２０の上下方向の厚みＴを越える寸法で離間しているので、肘掛部材２０を着座体３より下方に収納できる。そして、背凭れ部材６の仰向け位置において、肘掛部材２０を着座体３より下方に収納すると、リクライニング椅子１の上面がフラットになるので、使用者が横座りできたり座る向きを自在に変えたりすることができ、利便性が良好である。また、背凭れ部材６を仰向け位置にし、肘掛部材２０を着座体３のより下方に収納すれば、長椅子としても使用でき、更に、クッション材５ｂ、６ｂを外すと、テーブルとしても使用できる。そして、実施例のリクライニング椅子１によれば、用途が広く付加価値が大きなものとなる。
【００９５】
尚、本発明は、前記の実施例に限定されることなく、種々の態様をとることができる。
例えば、実施例のリクライニング椅子１において、着座体３の前方にオットマンを連結し安楽椅子として用いてもよい。尚、この際、本発明のように、椅子本体２に対して背凭れ部材６の回動動作による重心移動を抑制できるスライド手段を備えることにより、オットマンには背凭れ部材の重心移動を抑制する重量が不要となり、軽量化ができる。
【００９６】
また、実施例のリクライニング椅子１において、椅子本体２にスライドレール９ａ、９ｂを設け、着座体ベース部材５に、スライドレール９ａ、９ｂに沿って回動する回転ローラ１０ａ〜１０ｄ、１０ｆを設け、スライドレール９ａ、９ｂに沿って回転ローラ１０ａ〜１０ｄ、１０ｆが回動し、椅子本体２に対して着座体ベース部材５がスライドするように構成したが、着座体ベース部材５に回転ローラ１０ａ〜１０ｄ、１０ｆを設ける代わりに、椅子本体２に回転ローラを設け、着座体ベース部材５が椅子本体に設けられた回転ローラに沿ってスライドするように構成してもよい。
【００９７】
また、実施例のリクライニング椅子１によれば、シリンダ１５ａの外端部１５ｇを延出部材１３ａ、１３ｂの他端側の先端に接続し、ピストンロッド１５ｆの先端側をシリンダ支持軸１４を介して着座体ベース部材５に接続したが、シリンダ１５ａの外端部１５ｇをシリンダ支持軸１４を介して着座体ベース部材５に接続し、ピストンロッド１５ｆの先端側を延出部材１３ａ、１３ｂの他端側の先端に接続してもよい。
【００９８】
また、シリンダ１５ａの外端部１５ｇを背もたれ部材と一体となって回動する延出部材１３ａ、１３ｂの先端に接続し、シリンダ装置１５におけるピストン１５ｂの摺動動作を背もたれ部材の回動動作に連動させたが、着座体３の下方に延出部材を固定し、この固定された延出部材の先端にシリンダ１５ａの外端部１５ｇを接続し、ピストン１５ｂの摺動動作を着座体３のスライド動作に連動させてもよい。
【図面の簡単な説明】
【００９９】
【図１】本発明が適用された実施例のリクライニング椅子の分解斜視図である。
【図２】（ａ）は同実施例のリクライニング椅子の外観斜視図、（ｂ）は図（ａ）における矢視Ａ図である。
【図３】同実施例のリクライニング椅子の側面方向から表した図であって、背凭れ部材が着座位置にある図である。
【図４】同実施例のリクライニング椅子の側面方向から表した図であって、背凭れ部材が着座位置と仰向け位置との中間位置にある図である。
【図５】同実施例のリクライニング椅子の側面方向から表した図であって、背凭れ部材が仰向け位置にある図である。
【図６】同実施例のリクライニング椅子の、肘掛ユニットの構成を表す分解斜視図である。
【図７】同実施例のリクライニング椅子の、肘掛ユニットの構成を表す正面図である。
【図８】同実施例の肘掛ユニットを椅子本体に取り付けた部分断面図である。
【図９】同実施例の肘掛ユニットを椅子本体に取り付けた外観斜視図である。
【図１０】同実施例の肘掛ユニットの動作説明図であって、（ａ）は肘掛部材が収納位置にある図、（ｂ）は、肘掛部材が（ａ）よりも上方にスライドし、肘掛部材が固定されている図、（ｃ）は、肘掛部材がスライド途中にある図、（ｄ）は、肘掛部材が最も上方で固定されている図である。
【図１１】同実施例のリクライニング椅子に備えたシリンダ装置の構成を表す断面図である。
【符号の説明】
【０１００】
１…リクライニング椅子、２…椅子本体、２ａ，２ｂ…側壁、２ｃ…前壁、２ｄ…後壁、２ｆ…空洞、３…着座体、３ａ…後端部、４…第一の支軸、５…着座体ベース部材、５ａ…座板、５ｂ，６ｂ…クッション部材、５ｃ、５ｄ…側板、６…背凭れ部材、６ａ…背凭れ基材、７…第二の支軸、８ａ、８ｂ…リンク、８ｃ，８ｄ…一端、８ｅ，８ｆ…他端、９ａ、９ｂ…スライドレール、１０ａ，１０ｂ，１０ｃ，１０ｄ，１０ｆ…回転ローラ（スライド部材）、１１…第一のストッパー、１２…第二のストッパー、１３ａ、１３ｂ…延出部材、１３ｃ…一端側、１３ｄ…他端側、１４…シリンダ支持軸、１５…シリンダ装置、１５ａ…シリンダ、１５ｂ…ピストン、１５ｃ…一方の室、１５ｄ…他方の室、１５ｅ…連通路、１５ｆ…ピストンロッド、１５ｇ…外端部、１５ｈ…弁機構、１５ｍ…オイル、１５ｎ…圧縮ガス、１５ｋ…弁軸、１５ｓ…環状弁体、１５ｔ…レバー、２０…肘掛部材、２０ａ…空洞、２１…第一の棒状部材、２１ａ，２１ｂ，２１ｃ，２２ａ，２２ｂ，２２ｃ…凹部、２２…第二の棒状部材、２３…第一の筒状部材、２３ａ，２４ａ…挿通孔，２３ｆ，２４ｆ…切り欠け孔、２４…第二の筒状部材、２５…第三の棒状部材、２６…突出部材、２６ａ…係合孔、２７…第三の筒状部材、２７ａ…挿通孔、２８…圧縮コイルばね（付勢部材）、２９…レバー、２９ａ…水平軸、２９ｂ，２９ｃ…側方軸、２９ｄ…第二の水平軸，２９ｅ…第三の水平軸、２９ｆ…板状の部材、３０…肘掛ユニット取り付け金具、３０ａ…前面板、３０ｂ…上面板、３０ｃ，３０ｄ…側面板、３０ｆ…スライド溝、３０ｇ…凹部、３２…クッション材、３３〜３６…脚体、３７〜４０…キャスタ、４０…前部取り付け金具、４１…後部取り付け金具、４５ａ，４５ｂ，４６ａ，４６ｂ…回転軸、４７…支持具、４７ａ，４７ｂ…支持具取り付け部材、４８…第三の支軸、４９…取り付け具、５０…肘掛ユニット、５１…レバー、５２…回転軸、５３…スプリング、５４…ワイヤ、６０…棒状部材取り付け金具、６０ａ，６０ｂ…孔、６１，６２…管座、６３，６４…第一の軸受け部材、６５，６６…第二の軸受け部材、第６７，６８…Ｏリング、７０…内部金具。
【図１】
2005192745.tif 000003
【図２】
2005192745.tif 000004
【図３】
2005192745.tif 000005
【図４】
2005192745.tif 000006
【図５】
2005192745.tif 000007
【図６】
2005192745.tif 000008
【図７】
2005192745.tif 000009
【図８】
2005192745.tif 000010
【図９】
2005192745.tif 000011
【図１０】
2005192745.tif 000012
【図１１】
2005192745.tif 000013